Podtech/llm-jp-corpus-v4-ja_patent huggingface dataset:
【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  コンテンツをユーザに推薦する際に提示される推薦画面を生成する画像処理装置において、
前記ユーザの嗜好に合うコンテンツを検出する検出手段と、
前記検出手段により検出された前記コンテンツの前記ユーザの嗜好との合致度に応じて異なる前記推薦画面を生成する第１の生成手段と
を備えることを特徴とする画像処理装置。
【請求項２】  前記第１の生成手段は、
前記検出手段により検出された前記コンテンツの中から、前記ユーザの嗜好に最も合う１つのコンテンツを選択する選択手段と、
前記選択手段により選択された前記コンテンツに関する情報が表示される第１の推薦画面を生成する第２の生成手段と、
前記選択手段により選択された前記コンテンツ以外の前記検出手段により検出された前記コンテンツに関する情報が表示される第２の推薦画面を生成する第３の生成手段と
を備えることを特徴とする請求項１に記載の画像処理装置。
【請求項３】  前記第２または第３の生成手段は、前記コンテンツが前記検出手段により検出された理由に応じた表示を含む前記第１または第２の推薦画面をそれぞれ生成する
ことを特徴とする請求項２に記載の画像処理装置。
【請求項４】  前記第２または第３の生成手段は、前記コンテンツに対する過去の操作ログに応じた表示を含む前記第１または第２の推薦画面をそれぞれ生成する
ことを特徴とする請求項２に記載の画像処理装置。
【請求項５】  前記第２または第３の生成手段は、ユーザ毎に異なる形態の前記第１または第２の推薦画面をそれぞれ生成する
ことを特徴とする請求項２に記載の画像処理装置。
【請求項６】  コンテンツをユーザに推薦する際に提示される推薦画面を生成する画像処理装置の画像処理方法において、
前記ユーザの嗜好に合うコンテンツを検出する検出ステップと、
前記検出ステップの処理で検出された前記コンテンツの前記ユーザの嗜好との合致度に応じて異なる前記推薦画面を生成する生成ステップと
を含むことを特徴とする画像処理方法。
【請求項７】  ユーザにコンテンツを推薦する際に提示される推薦画面を生成する画像処理をコンピュータに実行させるプログラムであって、
前記ユーザの嗜好に合うコンテンツを検出する検出ステップと、
前記検出ステップの処理で検出された前記コンテンツの前記ユーザの嗜好との合致度に応じて異なる前記推薦画面を生成する生成ステップと
を含むことを特徴とするコンピュータが読み取り可能なプログラムが記録されている記録媒体。
【請求項８】  ユーザにコンテンツを推薦する際に提示される推薦画面を生成する画像処理をコンピュータに実行させるプログラムであって、
前記ユーザの嗜好に合うコンテンツを検出する検出ステップと、
前記検出ステップの処理で検出された前記コンテンツの前記ユーザの嗜好との合致度に応じて異なる前記推薦画面を生成する生成ステップと
を含むことを特徴とするプログラム。
【手続補正２】
【補正対象書類名】明細書
【補正対象項目名】０００６
【補正方法】変更
【補正の内容】
【０００６】
【課題を解決するための手段】
本発明の画像処理装置は、ユーザの嗜好に合うコンテンツを検出する検出手段と、検出手段により検出されたコンテンツのユーザの嗜好との合致度に応じて異なる推薦画面を生成する第１の生成手段とを備えることを特徴とする。
【手続補正３】
【補正対象書類名】明細書
【補正対象項目名】００１１
【補正方法】変更
【補正の内容】
【００１１】
本発明の画像処理方法は、ユーザの嗜好に合うコンテンツを検出する検出ステップと、検出ステップの処理で検出されたコンテンツのユーザの嗜好との合致度に応じて異なる推薦画面を生成する生成ステップとを含むことを特徴とする。
【手続補正４】
【補正対象書類名】明細書
【補正対象項目名】００１２
【補正方法】変更
【補正の内容】
【００１２】
本発明の記録媒体のプログラムは、ユーザの嗜好に合うコンテンツを検出する検出ステップと、検出ステップの処理で検出されたコンテンツのユーザの嗜好との合致度に応じて異なる推薦画面を生成する生成ステップとを含むことを特徴とする。
【手続補正５】
【補正対象書類名】明細書
【補正対象項目名】００１３
【補正方法】変更
【補正の内容】
【００１３】
本発明のプログラムは、ユーザの嗜好に合うコンテンツを検出する検出ステップと、検出ステップの処理で検出されたコンテンツのユーザの嗜好との合致度に応じて異なる推薦画面を生成する生成ステップとを含むことを特徴とする。
【手続補正６】
【補正対象書類名】明細書
【補正対象項目名】００１４
【補正方法】変更
【補正の内容】
【００１４】
本発明の画像処理装置および方法、並びにプログラムにおいては、ユーザの嗜好に合うコンテンツが検出され、検出されたコンテンツのユーザの嗜好との合致度に応じて異なる推薦画面が生成される。
【手続補正７】
【補正対象書類名】明細書
【補正対象項目名】０１０９
【補正方法】変更
【補正の内容】
【０１０９】
【発明の効果】
本発明によれば、コンテンツのユーザの嗜好との合致度に応じて異なる推薦画面を生成することができる。
【手続補正書】
【提出日】平成18年7月13日(2006.7.13)
【手続補正１】
【補正対象書類名】明細書
【補正対象項目名】発明の名称
【補正方法】変更
【補正の内容】
【発明の名称】受信装置及び受信方法
【手続補正２】
【補正対象書類名】明細書
【補正対象項目名】特許請求の範囲
【補正方法】変更
【補正の内容】
【特許請求の範囲】
【請求項１】 少なくとも文字情報データを含む複数の情報データが多重化された情報データ列を受信する受信手段と、前記受信手段により受信した情報データ列より、予め決められた特定の識別データを有する文字情報データがあることを検出し、検出された文字情報データを前記情報データ列より抽出する抽出手段と、前記抽出手段により抽出された文字情報データに係る文字情報を表示手段で表示するように制御する制御手段とを有することを特徴とする受信装置。
【請求項２】 前記情報データは映像データを含み、前記抽出手段は操作手段により指定された映像データを抽出し、前記制御手段は、抽出された映像データに係る映像に前記文字情報を多重して前記表示手段で表示するように制御することを特徴とする請求項１記載の受信装置。
【請求項３】 前記制御手段は、前記抽出された映像データに係る映像を縮小し、縮小された映像と前記文字情報とが重ならないで表示されるように制御することを特徴とする請求項２記載の受信装置。
【請求項４】 前記文字情報データは、緊急性若しくは優先度の高い情報に係るデータであることを特徴とする請求項１記載の受信装置。
【請求項５】 前記抽出手段は、前記複数の情報データ列より、前記操作手段により指定された第２の文字情報データを抽出し、前記制御手段は、前記文字情報、前記第２の文字情報データに係る第２の文字情報及び前記映像とを多重して前記表示手段で表示するように制御することを特徴とする請求項２記載の受信装置。
【請求項６】 前記第２の文字情報は、番組関連情報または広告情報を含むことを特徴とする請求項５記載の受信装置。
【請求項７】 少なくとも文字情報データを含む複数の情報データが多重化された情報データ列を受信するステップと、受信した情報データ列より、予め決められた特定の識別データを有する文字情報データがあることを検出するステップと、検出された文字情報データを前記情報データ列より抽出するステップと、抽出された文字情報データに係る文字情報を表示するステップとを有することを特徴とする受信方法。
【請求項８】 少なくとも文字情報データを含む複数の情報データが多重化された情報データ列を受信する受信手段と、前記受信手段により受信した情報データ列より、予め決められた特定の識別データを有する文字情報データがあることを検出し、検出された文字情報データを前記情報データ列より抽出する抽出手段と、前記抽出手段により抽出された文字情報データに係る音声信号を生成する音声生成手段と、前記音声信号を、音声出力手段により音声出力するように制御する制御手段とを有することを特徴とする受信装置。
【手続補正３】
【補正対象書類名】明細書
【補正対象項目名】０００９
【補正方法】変更
【補正の内容】
【０００９】
【課題を解決するための手段】
本発明の受信装置は、少なくとも文字情報データを含む複数の情報データが多重化された情報データ列を受信する受信手段と、前記受信手段により受信した情報データ列より、予め決められた特定の識別データを有する文字情報データがあることを検出し、検出された文字情報データを前記情報データ列より抽出する抽出手段と、前記抽出手段により抽出された文字情報データに係る文字情報を表示手段で表示するように制御する制御手段とを有することを特徴とする。
【手続補正４】
【補正対象書類名】明細書
【補正対象項目名】００１０
【補正方法】変更
【補正の内容】
【００１０】
また、本発明の受信装置は、少なくとも文字情報データを含む複数の情報データが多重化された情報データ列を受信する受信手段と、前記受信手段により受信した情報データ列より、予め決められた特定の識別データを有する文字情報データがあることを検出し、検出された文字情報データを前記情報データ列より抽出する抽出手段と、前記抽出手段により抽出された文字情報データに係る音声信号を生成する音声生成手段と、前記音声信号を、音声出力手段により音声出力するように制御する制御手段とを有することを特徴とする。
【手続補正書】
【提出日】平成18年7月28日(2006.7.28)
【手続補正１】
【補正対象書類名】明細書
【補正対象項目名】特許請求の範囲
【補正方法】変更
【補正の内容】
【特許請求の範囲】
【請求項１】  共通の信号転送線に接続された複数の画素からの画素信号を読み出す固体撮像装置において、前記画素信号を画素信号蓄積部へ転送している期間中に、前記画素信号蓄積部から共通の信号転送線に接続された他の画素の画素信号を出力することを特徴とする固体撮像装置。
【請求項２】  請求項１に記載の固体撮像装置において、出力した前記複数の画素信号の信号遅延を補償する手段を有することを特徴とする固体撮像装置。
【請求項３】  請求項１に記載の固体撮像装置において、前記画素信号蓄積部からの信号読み出し動作にかかるシフトレジスタをそれぞれ独立に動作できることを特徴とする固体撮像装置。
【請求項４】 マトリクス状に配置された複数の光電変換素子と、
前記複数の光電変換素子からの信号を蓄積する蓄積手段と、
前記蓄積手段からの信号を水平方向に順次出力する水平出力手段と、
を備え、
前記水平方向の１行に配列した複数の光電変換素子からの信号を前記蓄積手段から前記水平出力手段に読み出している期間中に、前記水平方向の他の１行に配列した複数の光電変換素子からの信号を前記蓄積手段に蓄積することを特徴とする固体撮像装置。
【請求項５】  請求項４に記載の固体撮像装置において、前記水平出力手段は、前記水平方向の２行の信号を並列的に読み出すことを特徴とする固体撮像装置。
【請求項６】  請求項５に記載の固体撮像装置において、前記水平出力手段から前記水平方向の２行の信号を所定時間ずらして、並列的に読み出す駆動手段を有することを特徴とする固体撮像装置。
【請求項７】  請求項６に記載の固体撮像装置において、前記並列的に読み出す前記駆動手段はそれぞれ同一の駆動手段であることを特徴とする固体撮像装置。
【手続補正２】
【補正対象書類名】明細書
【補正対象項目名】００１１
【補正方法】変更
【補正の内容】
【００１１】
【課題を解決するための手段】
本発明による固体撮像装置は、共通の信号転送線に接続された複数の画素からの画素信号を読み出す固体撮像装置において、前記画素信号を画素信号蓄積部へ転送している期間中に、前記画素信号蓄積部から共通の信号転送線に接続された他の画素の画素信号を出力することを特徴とする。こうすることで、画素信号を転送している期間と、共通の信号転送線に接続された他の画素信号を画素信号蓄積部から出力する期間を並列に処理できることから、画素信号蓄積部から信号を読み出す動作周波数を低くすることができ、読み出し期間を長く取ることができ、高画素数センサに対応できることを特徴とする。
【手続補正３】
【補正対象書類名】明細書
【補正対象項目名】００１２
【補正方法】変更
【補正の内容】
【００１２】
また、本発明は、出力した前記複数の画素信号の信号遅延を補償する手段を有することを特徴とする。また、前記画素信号蓄積部からの信号読み出し動作にかかるシフトレジスタをそれぞれ独立に動作できることを特徴とする。
【手続補正４】
【補正対象書類名】明細書
【補正対象項目名】００１３
【補正方法】変更
【補正の内容】
【００１３】
また、本発明は、マトリクス状に配置された複数の光電変換素子と、前記複数の光電変換素子からの信号を蓄積する蓄積手段と、前記蓄積手段からの信号を水平方向に順次出力する水平出力手段と、を備え、前記水平方向の１行に配列した複数の光電変換素子からの信号を前記蓄積手段から前記水平出力手段に読み出している期間中に、前記水平方向の他の１行に配列した複数の光電変換素子からの信号を前記蓄積手段に蓄積することを特徴とする。また、前記水平出力手段は、前記水平方向の２行の信号を並列的に読み出すことを特徴とする。さらに、前記水平出力手段から前記水平方向の２行の信号を所定時間ずらして、並列的に読み出す駆動手段を有することを特徴とする。
【手続補正書】
【提出日】平成18年7月27日(2006.7.27)
【手続補正１】
【補正対象書類名】明細書
【補正対象項目名】発明の名称
【補正方法】変更
【補正の内容】
【発明の名称】画像合成装置とその制御方法及び記憶媒体
【手続補正２】
【補正対象書類名】明細書
【補正対象項目名】特許請求の範囲
【補正方法】変更
【補正の内容】
【特許請求の範囲】
【請求項１】  画像を記憶する記憶手段と、前記画像を表示する表示手段と、共通の領域を含む複数の前記画像間の配置情報を取得し、前記配置情報に応じた写像方式を用いて前記複数の画像を合成する合成手段と、前記写像方式を変更する変更手段とを備え、前記合成手段は、前記変更手段で前記写像方式を変更して合成された画像が、変更後の写像方式に応じて予め設定した条件に反する場合、警告を発することを特徴とする画像合成装置。
【請求項２】  前記合成手段は、前記警告を発するとともに前記条件に適した画像を合成し、前記表示手段に表示することを特徴とする請求項１に記載の画像合成装置。
【請求項３】  前記合成手段は、前記条件に適して合成した画像を余白が含まれない矩形領域で切出し可能に前記表示手段で表示することを特徴とする請求項２に記載の画像合成装置。
【請求項４】  更に前記画像の撮影時の焦点距離に関する情報を取得する焦点距離取得手段を備え、前記合成手段は、前記焦点距離に関する情報と前記配置情報とに応じた写像方式を用いることを特徴とする請求項１乃至３のいずれか一項に記載の画像合成装置。
【請求項５】  画像を記憶する記憶工程と、前記画像を表示する表示工程と、共通の領域を含む複数の前記画像間の配置情報を取得し、前記配置情報に応じた写像方式を用いて前記複数の画像を合成する合成工程と、前記写像方式を変更する変更工程とを備え、前記合成工程は、前記変更工程で前記写像方式を変更して合成された画像が、変更後の写像方式に応じて予め設定した条件に反する場合、警告を発することを特徴とする画像合成装置の制御方法。
【請求項６】  前記合成工程は、前記警告を発するとともに前記条件に適した画像を合成し、前記表示工程に表示することを特徴とする請求項５に記載の画像合成装置の制御方法。
【請求項７】  前記合成工程は、前記条件に適して合成した画像を余白が含まれない矩形領域で切出し可能に前記表示工程で表示することを特徴とする請求項６に記載の画像合成装置の制御方法。
【請求項８】  更に前記画像の撮影時の焦点距離に関する情報を取得する焦点距離取得工程を備え、前記合成工程は、前記焦点距離に関する情報と前記配置情報とに応じた写像方式を用いることを特徴とする請求項５乃至７のいずれか一項に記載の画像合成装置の制御方法。
【請求項９】  コンピュータが読み込み実行することで、請求項５乃至８のいずれかに記載の画像合成装置の制御方法を実行させるためのコンピュータプログラムを格納したことを特徴とするコンピュータ可読記憶媒体。
【手続補正３】
【補正対象書類名】明細書
【補正対象項目名】０００７
【補正方法】変更
【補正の内容】
【０００７】
【課題を解決するための手段】
上記の課題を解決するため、本出願に係る発明の画像合成装置は、画像を記憶する記憶手段と、前記画像を表示する表示手段と、共通の領域を含む複数の前記画像間の配置情報を取得し、前記配置情報に応じた写像方式を用いて前記複数の画像を合成する合成手段と、前記写像方式を変更する変更手段とを備え、前記合成手段は、前記変更手段で前記写像方式を変更して合成された画像が、変更後の写像方式に応じて予め設定した条件に反する場合、警告を発することを特徴とする。
【手続補正４】
【補正対象書類名】明細書
【補正対象項目名】０００８
【補正方法】変更
【補正の内容】
【０００８】
また、本出願に係る発明である画像合成装置の制御方法は、画像を記憶する記憶工程と、前記画像を表示する表示工程と、共通の領域を含む複数の前記画像間の配置情報を取得し、前記配置情報に応じた写像方式を用いて前記複数の画像を合成する合成工程と、前記写像方式を変更する変更工程とを備え、前記合成工程は、前記変更工程で前記写像方式を変更して合成された画像が、変更後の写像方式に応じて予め設定した条件に反する場合、警告を発することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００７０
【補正方法】変更
【補正の内容】
【００７０】
【発明の効果】
以上説明したように、本出願に係る発明によれば、変更手段で写像方式を変更して合成された画像が、写像方式に応じて予め設定した条件に反する場合は警告し、あるいは、警告とともに前記条件に適した合成画像を生成するので、写像方式の不適切な変更を行った際にも、ユーザーは動作の異常を認識しながら、合成画像を得ることが出来る。
【手続補正９】
【補正対象書類名】明細書
【補正対象項目名】００７１
【補正方法】削除
【補正の内容】
【手続補正１０】
【補正対象書類名】明細書
【補正対象項目名】００７２
【補正方法】削除
【補正の内容】
【手続補正１１】
【補正対象書類名】明細書
【補正対象項目名】００７３
【補正方法】削除
【補正の内容】
【手続補正１２】
【補正対象書類名】明細書
【補正対象項目名】００７４
【補正方法】削除
【補正の内容】
【手続補正書】
【提出日】平成18年7月28日(2006.7.28)
【手続補正１】
【補正対象書類名】明細書
【補正対象項目名】請求項６
【補正方法】変更
【補正の内容】
【請求項６】
請求項１または請求項３に記載の補間処理装置において、
前記類似性判定手段は、
前記類似度算出手段によって算出された各々の方向に対する類似度の差違が所定の閾値よりも小さい場合、各々の方向に対する類似性が同程度であると判定し、
前記補間量算出手段は、
前記類似性判定手段によって各々の方向に対する類似性が同程度であると判定された場合、補間対象格子点の近傍に存在する格子点の色成分の値を用いて、補間対象格子点の補間量を算出する
ことを特徴とする補間処理装置。
【手続補正２】
【補正対象書類名】明細書
【補正対象項目名】請求項７
【補正方法】変更
【補正の内容】
【請求項７】
請求項２または請求項４に記載の補間処理装置において、
前記類似性判定手段は、
前記類似度算出手段によって算出された各々の方向に対する類似度の差違が所定の閾値よりも小さい場合、各々の方向に対する類似性が同程度であると判定し、
前記補間量算出手段は、
前記類似性判定手段によって各々の方向に対する類似性が同程度であると判定された場合、補間対象格子点に最も近接する異色格子点が位置する方向に存在する格子点の色成分の値を用いて、補間対象格子点の補間量を算出する
ことを特徴とする補間処理装置。
【手続補正３】
【補正対象書類名】明細書
【補正対象項目名】００１３
【補正方法】変更
【補正の内容】
【００１３】
請求項６に記載の補間処理装置は、請求項１または請求項３に記載の補間処理装置において、類似度算出手段によって算出された各々の方向に対する類似度の差違が所定の閾値よりも小さい場合（図５Ｓ１１のＹＥＳ側に対応する）、類似性判定手段が、各々の方向に対する類似性が同程度であると判定し、類似性判定手段によって各々の方向に対する類似性が同程度であると判定された場合、補間量算出手段が、補間対象格子点の近傍に存在する格子点の色成分の値を用いて補間対象格子点の補間量を算出する（図５Ｓ１５に対応する）ことを特徴とする。
【手続補正４】
【補正対象書類名】明細書
【補正対象項目名】００１４
【補正方法】変更
【補正の内容】
【００１４】
請求項７に記載の補間処理装置は、請求項２または請求項４に記載の補間処理装置において、類似度算出手段によって算出された各々の方向に対する類似度の差違が所定の閾値よりも小さい場合（図６Ｓ２２のＹＥＳ側に対応する）、類似性判定手段が、各々の方向に対する類似性が同程度であると判定し、類似性判定手段によって各々の方向に対する類似性が同程度であると判定された場合、補間量算出手段が、補間対象格子点に最も近接する異色格子点が位置する方向に存在する格子点の色成分の値を用いて補間対象格子点の補間量を算出する（図６Ｓ２４に対応する）ことを特徴とする。
【手続補正書】
【提出日】平成18年7月20日(2006.7.20)
【手続補正１】
【補正対象書類名】明細書
【補正対象項目名】発明の名称
【補正方法】変更
【補正の内容】
【発明の名称】携帯無線通信機
【手続補正２】
【補正対象書類名】明細書
【補正対象項目名】特許請求の範囲
【補正方法】変更
【補正の内容】
【特許請求の範囲】
【請求項１】
無線送信されてきたメッセージを受信して、当該受信メッセージを画面に表示出力する携帯無線通信機において、
受信時のメッセージ表示を行うか否かを設定する表示設定手段と、
表示設定手段により受信時表示が設定されていることに応じてメッセージを受信したときに当該受信メッセージを画面に表示出力する表示制御手段と、
を備えたことを特徴とする携帯無線通信機。
【請求項２】
無線送信されてきたメッセージを受信して、当該受信メッセージを画面に表示出力する携帯無線通信機において、
音、振動、光等を発して使用者に対する報知を行う報知手段と、
受信メッセージに付加された種別を判定する解析手段と、
受信時の表示及び報知を行うメッセージ種別を設定する表示報知設定手段と、
表示報知設定手段により設定された種別のメッセージを受信したときに当該受信メッセージを画面に表示出力すると共に報知手段を駆動する表示報知制御手段と、
を備えたことを特徴とする携帯無線通信機。
【手続補正３】
【補正対象書類名】明細書
【補正対象項目名】００１１
【補正方法】変更
【補正の内容】
【００１１】
【課題を解決するための手段】
本発明に係る携帯無線通信機は、表示設定手段により受信時のメッセージ表示を行うか否かを設定することができ、表示設定手段により受信時表示が設定されている時には、表示制御手段がメッセージを受信したときに当該受信メッセージを画面に表示出力する。なお、表示設定手段により受信時表示が設定されていない時には、このような受信時表示は行わない。したがって、受信時表示を行うか否かを選択して任意に設定することができ、使用要求に応じた態様でメッセージを受信することができる。
【手続補正４】
【補正対象書類名】明細書
【補正対象項目名】００１２
【補正方法】変更
【補正の内容】
【００１２】
また、本発明に係る携帯無線通信機は、表示報知設定手段により受信時の表示及び報知を行うメッセージ種別を設定することができ、メッセージを受信すると、当該受信メッセージに付加された種別を解析手段が判定し、表示報知設定手段により設定された種別のメッセージを受信したときには、表示報知制御手段が当該受信メッセージを画面に表示出力すると共に報知手段を駆動して音、振動、光等を発して使用者に対する報知を行わせる。したがって、使用要求に応じた態様でメッセージを受信することができ、特に、メッセージの緊急性に差がある場合であっても、緊急性が高い受信メッセージを使用者に確実に確認させることができる。
【手続補正５】
【補正対象書類名】明細書
【補正対象項目名】００１３
【補正方法】変更
【補正の内容】
【００１３】
【発明の実施の形態】
本発明をページャに適用した一実施形態を参照して具体的に説明する。図１に示すように、本実施形態のページャは、基地局から送信された信号をアンテナ１を介して無線受信する受信部２と、受信した信号を復調する復調回路部３と、復調された受信信号を復号するデコーダ部４と、自己のＩＤ（アドレス情報）を読出し自在に格納したメモリ（ＩＤ−ＲＯＭ）５と、制御部１３が実行する処理プログラムを読み出し自在に格納したメモリ（ＲＯＭ）６と、無線受信したメッセージを読み書き自在に格納するメモリ（ＲＡＭ）７と、受信メッセージを表示する液晶板から成る表示器８と、表示器８を駆動する表示駆動部９と、受信報知のための音を発するスピーカからなる音発生部１０と、受信報知のための光や振動を発するＬＥＤやバイブレータからなる光振動発生部１１と、使用者からの各種入力を受け付けるキースイッチ等からなるキー入力部１２と、これら各機能手段１〜１２を統括制御するとともに各種の処理を実行する制御部１３とを備えている。
【手続補正６】
【補正対象書類名】明細書
【補正対象項目名】００２４
【補正方法】変更
【補正の内容】
【００２４】
【発明の効果】
以上説明したように、本発明の携帯無線通信機によると、表示設定手段により使用者の意志を受けてメッセージの受信時表示を行うか否かを任意に設定できるようにしたため、使用者の使用要求に応じて受信メッセージ表示をするか否かを選択することができ、使用要求に応じた柔軟な受信処理を実行することができる。また、本発明のメッセージ受信機によると、表示報知設定手段によりメッセージの受信時表示報知を行うメッセージ種別を設定できるようにしたため、例えば緊急性の高いメッセージを受信時に表示及び報知して、使用者に確実に確認させることができる。
【手続補正書】
【提出日】平成18年3月1日(2006.3.1)
【手続補正１】
【補正対象書類名】明細書
【補正対象項目名】発明の名称
【補正方法】変更
【補正の内容】
【発明の名称】著作権保護情報の保護方法、情報信号再生方法、情報信号処理装置、情報信号再生装置および情報信号記録装置
【手続補正２】
【補正対象書類名】明細書
【補正対象項目名】特許請求の範囲
【補正方法】変更
【補正の内容】
【特許請求の範囲】
【請求項１】
著作権保護情報が付加された情報信号に対する信号処理であって、前記著作権保護情報の検出が困難ないし不能になるような信号処理は、前記情報信号から検出された前記著作権保護情報に基づいて制限制御することを特徴とする著作権保護情報の保護方法。
【請求項２】
著作権保護情報が付加された情報信号を再生し、その再生出力を外部に出力する際に、
前記著作権保護情報の検出が困難ないし不能になるような信号処理は、前記情報信号から検出された前記著作権保護情報に基づいて制限制御することを特徴とする情報信号再生方法。
【請求項３】
著作権保護情報が付加された情報信号に対して信号処理を施す信号処理装置において、
前記著作権保護情報を検出する著作権保護情報検出手段と、
前記著作権保護情報検出手段の検出出力に基づいて、前記著作権保護情報の検出が困難ないし不能になるような信号処理を制限制御する制御手段と、
を備える情報信号処理装置。
【請求項４】
前記著作権保護情報は、電子透かし処理により、前記情報信号に電子透かし情報として付加されているものであり、前記制限制御の対象となる信号処理は、電子透かし情報のフォーマットが変更されてしまう処理である
ことを特徴とする請求項３に記載の情報信号処理装置。
【請求項５】
前記情報信号は映像信号であり、前記信号処理は、画素数、ライン数、画素位置またはライン位置が変更される信号処理であることを特徴とする請求項３または請求項４に記載の情報信号処理装置。
【請求項６】
前記情報信号は映像信号であり、前記信号処理は、間引き処理または補間処理を伴う処理であることを特徴とする請求項３または請求項４に記載の情報信号処理装置。
【請求項７】
前記情報信号は映像信号であり、前記信号処理は、画像を拡大するズーム処理であることを特徴とする請求項３または請求項４に記載の情報信号処理装置。
【請求項８】
前記情報信号は映像信号であり、前記信号処理は、画像の回転処理、反転処理、画像の一部切り取り処理、画像シフト処理、符号化処理、フォーマット変換処理、フィルタ処理または変速再生時の信号処理であることを特徴とする請求項３または請求項４に記載の情報信号処理装置。
【請求項９】
前記著作権保護情報が前記情報信号の複製禁止または制限付き複製許可の場合に、前記信号処理に制限を加えることを特徴とする請求項３〜請求項８のいずれかに記載の情報信号処理装置。
【請求項１０】
著作権保護情報が付加された情報信号を再生する再生手段と、
前記再生手段で再生された前記著作権保護情報が付加されている情報信号についての信号処理であって、前記著作権保護情報の検出が困難ないし不能になるような信号処理を施す信号処理手段と、
前記再生手段で再生された情報信号から前記著作権保護情報を検出する著作権保護情報検出手段と、
前記著作権保護情報検出手段で検出された前記著作権保護情報に基づいて、前記信号処理手段での信号処理を制限制御する制御手段と、
を備える情報信号再生装置。
【請求項１１】
前記著作権保護情報は、電子透かし処理により、前記情報信号に電子透かし情報として付加されているものであり、前記制限制御の対象となる信号処理は、電子透かし情報のフォーマットが変更されてしまう処理である
ことを特徴とする請求項１０に記載の情報信号再生装置。
【請求項１２】
前記情報信号は映像信号であり、前記信号処理は、画素数、ライン数、画素位置またはライン位置が変更される信号処理であることを特徴とする請求項１０または請求項１１に記載の情報信号再生装置。
【請求項１３】
前記情報信号は映像信号であり、前記信号処理は、間引き処理または補間処理を伴う処理であることを特徴とする請求項１０または請求項１１に記載の情報信号再生装置。
【請求項１４】
前記情報信号は映像信号であり、前記信号処理は、画像を拡大するズーム処理であることを特徴とする請求項１０または請求項１１に記載の情報信号再生装置。
【請求項１５】
前記情報信号は映像信号であり、前記信号処理は、画像の回転処理、反転処理、画像の一部切り取り処理、画像シフト処理、符号化処理、フォーマット変換処理、フィルタ処理または変速再生時の信号処理であることを特徴とする請求項１０または請求項１１に記載の情報信号再生装置。
【請求項１６】
前記著作権保護情報検出手段で検出された前記著作権保護情報が前記情報信号の複製禁止または制限付き複製許可の場合に、前記制御手段は、前記信号処理手段での前記信号処理に制限を加えることを特徴とする請求項１０〜請求項１５のいずれかに記載の情報信号再生装置。
【請求項１７】
著作権保護情報が付加された情報信号を記録する記録手段と、
前記記録手段での記録処理に先立ち、前記著作権保護情報が付加されている情報信号についての信号処理であって、前記著作権保護情報の検出が困難ないし不能になるような信号処理を施す信号処理手段と、
前記情報信号から前記著作権保護情報を検出する著作権保護情報検出手段と、
前記著作権保護情報検出手段で検出された前記著作権保護情報に基づいて、前記信号処理手段での信号処理を制限制御する制御手段と、
を備える情報信号記録装置。
【請求項１８】
前記著作権保護情報は、電子透かし処理により、前記情報信号に電子透かし情報として付加されているものであり、前記制限制御の対象となる信号処理は、電子透かし情報のフォーマットが変更されてしまう処理である
ことを特徴とする請求項１７に記載の情報信号記録装置。
【請求項１９】
前記情報信号は映像信号であり、前記信号処理は、画素数、ライン数、画素位置またはライン位置が変更される信号処理であることを特徴とする請求項１７または請求項１８に記載の情報信号記録装置。
【請求項２０】
前記情報信号は映像信号であり、前記信号処理は、間引き処理または補間処理を伴う処理であることを特徴とする請求項１７または請求項１８に記載の情報信号記録装置。
【請求項２１】
前記情報信号は映像信号であり、前記信号処理は、画像を拡大するズーム処理であることを特徴とする請求項１７または請求項１８に記載の情報信号記録装置。
【請求項２２】
前記情報信号は映像信号であり、前記信号処理は、画像の回転処理、反転処理、画像の一部切り取り処理、画像シフト処理、符号化処理、フォーマット変換処理、フィルタ処理または変速再生時の信号処理であることを特徴とする請求項１７または請求項１８に記載の情報信号記録装置。
【請求項２３】
前記著作権保護情報検出手段で検出された前記著作権保護情報が前記情報信号の複製禁止または制限付き複製許可の場合に、前記制御手段は、前記信号処理手段での前記信号処理に制限を加えることを特徴とする請求項１７〜請求項２２のいずれかに記載の情報信号記録装置。
【手続補正３】
【補正対象書類名】明細書
【補正対象項目名】００１６
【補正方法】削除
【補正の内容】
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  インターネットを介して通信可能な画像通信装置において、  インターネットを介した通信と前記インターネットを介さない通信とで異なる受信許可条件を設定する設定手段と、
前記設定手段により設定された受信許可条件に基づき、前記インターネットを介した通信と前記インターネットを介さない通信の受信を許可する受信許可手段とを有することを特徴とする画像通信装置。
【請求項２】  前記インターネットを介した通信の受信許可条件としては、インターネットを介さない通信の受信許可条件より厳しくすることを特徴とする請求項１に記載の画像通信装置。
【請求項３】  前記設定手段は、前記インターネットを介した通信の受信許可条件として特定番号情報と第１のパスワードとを設定し、前記インターネットを介さない通信の受信許可条件として第２のパスワードを設定することを特徴とする請求項２に記載の画像通信装置。
【請求項４】  前記設定手段は、前記インターネットを介した通信と、前記インターネットを介さない通信とでパスワードの桁数を変えることを特徴とする請求項３に記載の画像通信装置。
【請求項５】  前記第１のパスワードの桁数は、前記第２のパスワードの桁数より多くすることを特徴とする請求項４に記載のファクシミリ装置。
【請求項６】  前記受信許可手段は、前記受信許可条件に一致する特定番号情報と第１のパスワードとを受信した場合、前記インターネットを介した通信の受信を許可することを特徴とする請求項３に記載のファクシミリ装置。
【請求項７】  インターネットを介して通信可能な画像通信装置の受信方法において、
インターネットを介した通信と前記インターネットを介さない通信とで異なる受信許可条件を設定する設定工程と、
前記設定工程により設定された受信許可条件に基づき、前記インターネットを介した通信と前記インターネットを介さない通信の受信を許可する受信許可工程とを有することを特徴とする画像通信装置の受信方法。
【請求項８】  請求項７に記載の画像通信装置の受信方法の各手順をコンピュータに実行させるためのプログラムを記録したコンピュータ読み取り可能な記録媒体。
【手続補正書】
【提出日】平成18年7月28日(2006.7.28)
【手続補正１】
【補正対象書類名】明細書
【補正対象項目名】特許請求の範囲
【補正方法】変更
【補正の内容】
【特許請求の範囲】
【請求項１】  通信回線を介して外部機器と通信を行う通信手段と、
前記通信回線を介して受信したデータを記憶する記憶手段と、
外部記憶装置と通信可能に接続されたインタフェース手段と、
前記記憶手段に記憶したデータを、前記インタフェース手段を用いて前記外部記憶装置に記憶する制御手段と、を有することを特徴とする通信装置。
【請求項２】  さらに、予め定めた管理情報を用いて前記データを管理する管理手段を有し、
前記制御手段は前記データとともに、前記管理情報も前記外部記憶装置に記憶することを特徴とする請求項１記載の通信装置。
【請求項３】  さらに、予め定めた管理情報を用いて前記データを管理する管理手段を有し、
前記制御手段は前記データを前記外部記憶装置に記憶するための通信とは異なる通信において、前記記憶されたデータに対応する前記管理情報も前記外部記憶装置に記憶することを特徴とする請求項１記載の通信装置。
【請求項４】  通信回線を介して受信したデータを記憶する記憶手段と、
外部記憶装置と通信可能に接続されたインタフェース手段と、
前記記憶手段に記憶された前記データの中から、予め定めた条件に合致するデータを選択する選択手段と、
前記選択手段が選択した前記データを、前記インタフェース手段を用いて前記外部記憶装置に送信する制御手段とを有することを特徴とする通信装置。
【請求項５】  前記予め定めた条件を入力する選択条件入力手段をさらに有することを特徴とする請求項４記載の通信装置。
【請求項６】  前記予め定めた条件が、前記記憶手段に記憶された全ての音声データ及び／又は画像データを指定する条件であることを特徴とする請求項４又は請求項５に記載の通信装置。
【請求項７】  前記記憶手段に記憶された前記データを予め定めた管理単位毎にグループ化して管理する管理手段をさらに有することを特徴とする請求項４又は請求項５に記載の通信装置。
【請求項８】  前記予め定めた管理単位が前記通信装置の利用者であり、前記予め定めた条件が特定の前記利用者を指定する条件であることを特徴とする請求項７記載の通信装置。
【請求項９】  前記制御手段は、前記選択手段が選択したデータを複写し、該複写したデータを前記外部記憶装置に送信することを特徴とする請求項４記載の通信装置。
【請求項１０】  前記制御手段が、前記送信処理を、前記通信回線を使用していない状態において行うことを特徴とする請求項４乃至請求項９のいずれかに記載の通信装置。
【請求項１１】  前記制御手段が、前記送信処理を、前記予め定めた条件が入力された時点で行うことを特徴とする請求項４乃至請求項９のいずれかに記載の通信装置。
【請求項１２】  前記制御手段が、前記送信処理を、前記予め定めた条件とともに指定されたタイミングで行うことを特徴とする請求項４乃至請求項９のいずれかに記載の通信装置。
【請求項１３】  コンピュータが実行可能なプログラムを格納したコンピュータ読み取り可能な記憶媒体であって、前記プログラムを実行したコンピュータを、請求項１乃至請求項３のいずれかに記載の通信装置として機能させることを特徴とする記憶媒体。
【請求項１４】  コンピュータが実行可能なプログラムを格納したコンピュータ読み取り可能な記憶媒体であって、前記プログラムを実行したコンピュータを、請求項４乃至請求項１２のいずれかに記載の通信装置として機能させることを特徴とする記憶媒体。
【手続補正２】
【補正対象書類名】明細書
【補正対象項目名】００１６
【補正方法】変更
【補正の内容】
【００１６】
【課題を解決するための手段】
すなわち、本発明の要旨は、通信回線を介して外部機器と通信を行う通信手段と、通信回線を介して受信したデータを記憶する記憶手段と、外部記憶装置と通信可能に接続されたインタフェース手段と、記憶手段に記憶したデータを、インタフェース手段を用いて外部記憶装置に記憶する制御手段と、を有することを特徴とする通信装置に存する。
【手続補正３】
【補正対象書類名】明細書
【補正対象項目名】００１７
【補正方法】変更
【補正の内容】
【００１７】
また、本発明の別の要旨は、通信回線を介して受信したデータを記憶する記憶手段と、外部記憶装置と通信可能に接続されたインタフェース手段と、記憶手段に記憶された前記データの中から、予め定めた条件に合致するデータを選択する選択手段と、前記選択手段が選択した前記データを、インタフェース手段を用いて外部記憶装置に送信する制御手段とを有することを特徴とする通信装置に存する。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
また、本発明の別の要旨は、コンピュータが実行可能なプログラムを格納したコンピュータ読み取り可能な記憶媒体であって、プログラムを実行したコンピュータを、本発明の通信装置として機能させることを特徴とする記憶媒体に存する。
【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  配線基板上に接地端子と接続された導電パターンを設け、該導電パターンの形状を配線基板上に設けられた一対の負荷端子を囲った形状とし、前記一対の負荷端子と導電パターンとの間隔を前記配線基板の水没時に短絡し易い間隔としたことを特徴とする、配線基板の負荷誤動作防止構成。
【請求項２】  配線基板上に接地端子と接続された導電パターンを設け、該導電パターンの先端部を配線基盤上に設けられた一対の負荷端子のうち一方の負荷端子の近傍に配置し、該負荷端子と前記導電パターンの先端部の間隔を前記配線基板の水没時に短絡し易い間隔とし、水没時に該間隔が短絡したときには負荷に電流が流れないようにしたことを特徴とする、配線基板の負荷誤動作防止構成。
【請求項３】  前記一方の負荷端子が＋側負荷端子であることを特徴とする、請求項２に記載の配線基板の負荷誤動作防止構成。
【請求項４】  配線基板上に接地端子と接続された導電パターンを設け、該導電パターンの先端部を配線基盤上に設けられた一対の電源端子のうち一方の電源端子の近傍に配置し、該電源端子と前記導電パターンの先端部の間隔を前記配線基板の水没時に短絡し易い間隔とし、水没時に該間隔が短絡したときには負荷に電流が流れないようにしたことを特徴とする、配線基板の負荷誤動作防止構成。
【請求項５】  前記一方の電源端子が＋側電源端子であることを特徴とする、請求項４に記載の配線基板の負荷誤動作防止構成。
【請求項６】  前記導電パターンの先端部及び端子の少なくとも一方にハンダを付けたことを特徴とする、請求項２から５のいずれか１項に記載の配線基板の負荷誤動作防止構成。
【請求項７】  配線基板上に設けられた一対の負荷端子からそれぞれ延びる導電パターンを設け、該導電パターンの先端部が互いに近傍にくるように配置し、その間隔を前記配線基板の水没時に短絡し易い間隔としたことを特徴とする、配線基板の負荷誤動作防止構成。
【請求項８】  前記導電パターンの先端部の少なくとも一方にハンダを付けたことを特徴とする、請求項７に記載の配線基板の負荷誤動作防止構成。
【請求項９】  配線基板上に接地端子と接続された導電パターンを設け、該導電パターンの形状を配線基板上に設けられた一対の負荷端子を囲った形状とし、前記一対の負荷端子と導電パターンとの間隔を、車両が水没したことにより前記配線基板が水没した時に短絡し易い間隔とした配線基板を備えたことを特徴とする、自動車用電子制御装置。
【請求項１０】  配線基板上に接地端子と接続された導電パターンを設け、該導電パターンの先端部を配線基板上に設けられた一対の負荷端子のうち一方の負荷端子の近傍に配置し、該負荷端子と前記導電パターンの先端部の間隔を、車両が水没したことにより前記配線基板が水没した時に短絡し易い間隔とし、水没時に該間隔が短絡したときには負荷に電流が流れないようにした配線基板を備えたことを特徴とする、自動車用電子制御装置。
【請求項１１】  配線基板上に接地端子と接続された導電パターンを設け、該導電パターンの先端部を配線基板上に設けられた一対の電源端子のうち一方の電源端子の近傍に配置し、該電源端子と前記導電パターンの先端部の間隔を、車両が水没したことにより前記配線基板が水没した時に短絡し易い間隔とし、水没時に該間隔が短絡したときには負荷に電流が流れないようにした配線基板を備えたことを特徴とする、自動車用電子制御装置。
【請求項１２】  配線基板上に設けられた一対の負荷端子からそれぞれ延びる導電パターンを設け、該導電パターンの先端部が互いに近傍にくるように配置し、その間隔を、車両が水没したことにより前記配線基板が水没した時に短絡し易い間隔とした配線基板を備えたことを特徴とする、自動車用電子制御装置。
【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】  遊技球を貯留する球受皿を遊技機前面に設け、該球受皿内の遊技球を順次投入して遊技を実施する遊技機において、
前記球受皿へ遊技球を排出する複数の排出口を設け、この複数の排出口を互いに離間させて配置したことを特徴とする遊技機。
【請求項２】  前記球受皿を遊技機の横幅方向に延びるよう設け、該球受皿の両端部付近に前記複数の排出口を各々個別に設けたことを特徴とする請求項１に記載の遊技機。
【請求項３】  前記球受皿として、遊技毎に遊技球を投入するための投入口に通ずる第１貯留領域と、この第１貯留領域の上流側に位置する第２貯留領域とを設け、各貯留領域にそれぞれ前記排出口を設けたことを特徴とする請求項１又は２に記載の遊技機。
【請求項４】  前記第１貯留領域及び第２貯留領域を折り返すようにして連結して設け、各貯留領域の最上流部分にそれぞれ前記排出口を設けたことを特徴とする請求項３に記載の遊技機。
【請求項５】  前記第１貯留領域側に設けられた排出口を通常用いる排出口とすることを特徴とする請求項３又は４に記載の遊技機。
【請求項６】  遊技機内部には払出機構より払い出された遊技球を球受皿へ案内する払出通路が設けられ、当該払出通路が第１貯留領域用の排出口を介して前記第１貯留領域に連通される遊技機にあって、払出通路内が遊技球で満たされると、前記第１貯留領域用の排出口とは異なる第２貯留領域用の排出口より第２貯留領域に遊技球が払い出されることを特徴とする請求項３又は４に記載の遊技機。
【請求項７】  前記第１貯留領域と前記払出通路とを合わせた容量を、１回の特別遊技状態の発生で払い出される遊技球を貯留可能な容量としたことを特徴とする請求項６に記載の遊技機。
【請求項８】  一度に所定個数の遊技球が投入されることを遊技の開始条件とすることを特徴とする請求項７に記載の遊技機。
【請求項９】  前記払出機構と前記第２貯留領域とを短距離で接続するバイパス通路を設け、このバイパス通路に通じる排出口を有することを特徴とする請求項６乃至８のいずれかに記載の遊技機。
【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】  遊技球を貯留する球受皿を遊技機前面に設け、該球受皿内の遊技球を順次投入して遊技を実施する遊技機において、
払出機構より払い出された遊技球を前記球受皿に対して案内する第１払出通路と、この第１払出通路内が遊技球で満たされると当該第１払出通路とは別経路で同じく遊技球を前記球受皿に対して案内する第２払出通路とを備えたことを特徴とする遊技機。
【請求項２】  遊技球を貯留する球受皿を遊技機前面に設け、該球受皿内の遊技球を順次投入して遊技を実施する遊技機において、
払出機構より払い出された遊技球を前記球受皿に対して案内する第１払出通路と、払出機構と球受皿とを短距離で接続する第２払出通路とを備えたことを特徴とする遊技機。
【請求項３】  前記第１払出通路内が遊技球で満たされると、これに代えて前記第２払出通路を介して球受皿に遊技球を案内することを特徴とする請求項２に記載の遊技機。
【請求項４】  前記第１払出通路に通じて遊技球を球受皿に排出する第１排出口と、前記第２払出通路に通じて遊技球を球受皿に排出する第２排出口とを互いに離間させて設けたことを特徴とする請求項１乃至３のいずれかに記載の遊技機。
【請求項５】  前記第１払出通路に通じて遊技球を球受皿に排出する第１排出口と、前記第２払出通路に通じて遊技球を球受皿に排出する第２排出口とを実質上、上流側及び下流側となる位置に配置したことを特徴とする請求項１乃至３のいずれかに記載の遊技機。
【請求項６】  前記球受皿を遊技機の横幅方向に延びるよう設け、該球受皿の両端部付近に第１排出口及び第２排出口を各々設けたことを特徴とする請求項４又は５に記載の遊技機。
【請求項７】  遊技状態に応じて払い出される賞品球を前記第１排出口より排出し、球貸し操作に伴い払い出される貸球を前記第２排出口より排出する構成としたことを特徴とする請求項４乃至６のいずれかに記載の遊技機。
【請求項８】  前記球受皿と前記第１払出通路とを合わせた容量を１回の特別遊技状態での遊技球払出個数を貯留可能な容量としたことを特徴とする請求項１乃至７のいずれかに記載の遊技機。
【請求項９】  一度に所定個数の遊技球が投入されることを遊技の開始条件とすることを特徴とする請求項８に記載の遊技機。
【請求項１０】  前記球受皿として、遊技毎に遊技球を投入するための投入口に通ずる第１貯留領域と、この第１貯留領域の上流側に位置する第２貯留領域とを設け、前記第１払出通路を通じて第１貯留領域に遊技球を案内し、前記第２払出通路を通じて第２貯留領域に遊技球を案内することを特徴とする請求項１乃至９のいずれかに記載の遊技機。
【請求項１１】  前記第１貯留領域及び第２貯留領域を折り返すようにして連結して設け、各貯留領域の最上流部分にそれぞれ前記排出口を設けたことを特徴とする請求項１０に記載の遊技機。